(57)【要約】      （修正有）【課題】路面に付着したガムを和洋かみそりの様な刃物で切除する。【解決手段】和洋かみそりの刃先の切れ味は、シノギの位置によって左右するので、路面に適する刃角の一枚刃と二枚刃の様な複合刃を作り、和洋かみそりの肩の役をする刃角調節器に固定した。【選択図】図１
0003117552.tif 000002
【実用新案登録請求の範囲】
【請求項１】
和洋かみそりの持つ機能を一枚刃及び二刃及び重ね刃を用いる事。
【請求項２】
和洋かみそりの持つ機能鋭刃角度を保つ刃角調節器を用いて固定したもの。
【請求項３】
切刃の傷みを防止する為に二枚の刃を接合して一枚の刃とした複合刃を用いる事。
【考案の詳細な説明】
【考案の詳細な説明】
【背景技術】
【０００１】  刃物の形をした鋼に柄がついて腕力と根気で削りとるか、はぎ取るもので、女性老人は無理だった。
【考案が解決しようとする課題】
【０００２】  路面に付着したガムを和洋かみそりの様な刃物で切除しようとした。
【課題を解決するための手段】
【０００３】  和洋かみそりの有する機能を持つ鋭角で薄い刃と、和洋かみそりの肩に当たる部分を刃角調節器としてこしらえ、押し引きする柄をつけた。
【考案を実施するための最良の形態】
【０００４】  上記の様に鋭角で薄い刃の一枚刃と二枚を接合して一枚の刃とした。
刃を刃角調節器に差し込んで出来た機能のものに押し引きの柄をつけた形態のもの。
【実施例】
【０００５】  上記の構造を有する形態のガム切除器を路面上で押せばガムは簡単に切除出来た．
【考案の効果】
【０００６】  老人女性でも楽に使える普遍性。
小回りが出来て便利である。
刃替が出来て安価で経済的。
立って使え、かがんで使え、押して使え、引いて使える。
特徴と性能の良さがある。
街の美化環境の改善に通じる。
【図面の簡単な説明】
【０００７】
【図１】ガム除器を示した側面図である。
【図２】ガム除器を示した平面図である。
【符号の説明】
【０００８】１  路面
２  鋭角刃
３  角度
４  固定器
５  足
６  引く時の柄穴
７  押す時の柄穴
【図１】
0003117552.tif 000003
【図２】
0003117552.tif 000004
【手続補正書】
【提出日】平成16年9月3日(2004.9.3)
【手続補正１】
【補正対象書類名】実用新案登録請求の範囲
【補正対象項目名】全文
【補正方法】変更
【補正の内容】
【実用新案登録請求の範囲】
【請求項１】
和洋かみそりの持つ機能を一枚刃及び二枚刃の重ね刃を用いるガム切除器
【請求項２】
和洋かみそりの持つ機能の鋭角刃と、その角度を路面に対して保つ為に、刃角調節器を用いて鋭角刃を固定したガム切除器
【請求項３】
切れ刃の傷みを防止する為に二枚の刃を接合して一枚の刃とした複合刃を用いるガム切除器
【請求項１】
和洋かみそりの持つ機能を一枚刃及び二枚刃の重ね刃を用いるガム切除器。
【請求項２】
和洋かみそりの持つ機能鋭刃とその路面に対する角度を保つ為に刃角調節器を用いて固定したガム切除器。
【請求項３】
切刃の傷みを防止する為に二枚の刃を接合して一枚の刃とした複合刃を用いるガム切除器。
【手続補正２】
【補正対象書類名】明細書
【補正対象項目名】全文
【補正方法】変更
【補正の内容】
【考案の詳細な説明】
【考案の詳細な説明】
【背景技術】
【０００１】刃物の形をした鋼に柄がついて腕力と根気で削りとるか、はぎ取るもので、女性老人は無理だった。
【考案が解決しようとする課題】
【０００２】路面に付着したガムを和洋かみそりの様な鋭角で薄い刃物で切除しようとした。
【課題を解決するための手段】
【０００３】和洋かみそりの有するところの機能を持つ鋭角で薄い刃と、和洋かみそりの肩に当たる部分を任意の形体の路面に対する刃角調節器としてこしらえ、押し引きする柄をつけた。
【考案の効果】
【０００４】老人女性でも楽に使える普遍性。
小回りが出来て便利である。
刃替が出来て安価で経済的。
立って使え、かがんで使え、押して使え、引いて使える。
特徴と性能の良さがある。
街の美化環境の改善に通じる。
【考案の実施するための最良の形態】
【０００５】  上記の様に鋭角で薄い刃の一枚刃と二枚を接合して一枚の刃と二枚の刃を一枚の刃のように接合した複合刃を刃角調節器に差し込んで固定し出来た機能のものに押し引きの柄をつけた構造のガム切除器。
【実施例】
【０００６】前記の構造を有する形態のガム切除器を凹凸の少ない路面上で押せば路面上に付着するガムは簡単に切除出来たが路面の凹みにガム跡が残る。此れは、シンナーをつけた布で拭き取るか、ワイヤーブラシで削除しなければならない。又、季節に依って路面に付着するガムの固さが異なるので、ガムに水をかけるか、コールドスプレーを吹き付けて、ガムを固くするとよく切除することが出来る。本案のガム切除器の刃は常時油をつけて錆ないようにすることがよく切れるものであり、凹凸の少ない路面で狭い範囲の路面に付着したガムの切除には大変有効であった。
【図面の簡単な説明】
【０００７】
【図１】ガム切除器を示した側面図である。
【図２】ガム切除器を示した平面図である。
【図３】日本かみそりの一枚刃と重ね刃及び複合刃の拡大図である。
【図４】刃角調節器の代表的な形体図である。
【図５】西洋かみそりの鋭角刃の拡大図及び路面に対する刃角図である。
【符号の説明】
【０００８】    １  路面
２和洋かみそりの鋭角刃
３  刃角及び研摩面
４路面に対する刃角調節器
５  路面に対する刃角調節足
６  引く時の柄穴
７  押す時の柄穴
８和かみそり機能を有する一枚刃の拡大図
９和かみそり機能を有する二枚刃の拡大図
１０和かみそり機能を有する複合刃の拡大図
１１洋かみそり機能を有する一枚刃の拡大図及び路面に対する刃角図
１２切れ刃
１３研摩面及び刃角
１４シノギ
１５円柱形
１６三角柱形
１７四角柱形
１８四角柱形
１９路面に対する刃角調節器で調節される刃角度
２０鋭角刃差込み口
２１鋭刃の長さ
【手続補正３】
【補正対象書類名】図面
【補正対象項目名】全図
【補正方法】変更
【補正の内容】
【図１】
0003117552.tif 000005
【図２】
0003117552.tif 000006
【図３】
0003117552.tif 000007
【図４】
0003117552.tif 000008
【図５】
0003117552.tif 000009
【手続補正書】
【提出日】平成17年1月28日(2005.1.28)
【手続補正１】
【補正対象書類名】実用新案登録請求の範囲
【補正対象項目名】全文
【補正方法】変更
【補正の内容】
【実用新案登録請求の範囲】
【請求項１】
（１）折捨てカッターの刃の使い方の常識を打破し、折捨てカッターの刃で路面に付着した、ガムを切除するガム切除器。
【手続補正２】
【補正対象書類名】明細書
【補正対象項目名】全文
【補正方法】変更
【補正の内容】
【考案の詳細な説明】
【背景の技術】
【考案の詳細な説明】
【０００１】折捨てカッターの刃大（刃渡り１００ｍｍ、又幅１８ｍｍ、厚さ０．５ｍｍ、刃角３５度、形は平行四辺形（以下カッターの刃と言う）を半分に折って本案のガム切除の刃に使用としたが余りにもカッターの刃が鋭くて、そのままでは路面上での使用は全く不可能と言う課題があった。
【解決しようとする手段】
【０００２】通常刃先とは大雑把に刃物の先の方を指すが、本案の刃先とは、刃の先端から０．０２ｍｍのことを指すもので、刃先から０．０２ｍｍのところがその刃物の持つ角度になっているか又その研磨面は細かく密に研磨されているか、その先端に鋸歯状の刃がきちんと着いているかで、その刃物の切れ味が左右される。刃角２４度の日本かみそりは０．０２ｍｍまでグラインダーで削り残った０．０２ｍｍを仕上げ砥ぎで砥いで鋸歯状は皮砥ぎで調整していたので、本案のカッターの刃先とは刃の先端から０．０２ｍｍを指すもので（以下刃先と言う）路面に付着したガムの厚さを路面上から０．０３ｍｍ以上を切除しようとした手段を使って課題を解決したのが本案のガム切除器である。
そのガム切除器は（図２）如くであって作り方は
１．桧の板の柄（以下柄と言う）縦１６０ｍｍ、横幅５０ｍｍ、厚さ１０ｍｍの正四角柱の板を用意する。
２．次に、直径３０ｍｍ、幅２６ｍｍの円柱形の木製のローラー（以下ローラーと言う）に中心に、直径３ｍｍの軸穴をあけたものと
３．そのローラーの軸棒２．８ｍｍと
４．竹材少々用意する
作り方は（図１）の様に方眼紙にカッターの刃角３５度を２等分した直線引き、この線にカッターの刃の厚みの中心と柄の厚みの中心線とローラーの軸の中心点が一直線となるようにして、上下へ２分の１の１７．５度の線を引き、この中心線を中心に、上下限の線よりはみ出さない様にして作る。柄の先端は上下限の線よりはみ出しているので、鋸かのみで切り除く。そして中心線上から上限の線と下限の線上に各々１５０ｍｍの高さの点を中心線に求め、この点に０．３ｍｍの軸穴をあける。柄の表面にローラーをはめ込むために前記のローラーの中心点より前後に１８０ｍｍ、横幅３０ｍｍの穴をあけて、ローラーに軸棒を差し込んでローラーが自由に回転するようにして軸を固定する。次に柄の先端にカッターの刃を差し込むために柄の先端から、中心線上に９ｍｍの鋸目を糸鋸で作る。その鋸目にカッターの刃元を一応８ｍｍ差し込んで固定せずに出来上がったガム切除器はカッターの刃角の３５度は刃角のガム切除器である。これを板ガラスの上に置くと切除器のカッターの刃先は板ガラスの面に隙間なく接触している。そこで本考案は、板ガラスとガム切除器の刃先が、板ガラスに接触しないように（即ち刃先の０．０２ｍｍの部分を保護するため）あと０．０３ｍｍ刃を柄に差し込んで固定する。あとの隙間は竹材を使って確実に埋める。
【考案の効果】
１．簡単に作れる。
２．使い捨てで安価である。
３．裏表の両面が使用出来る。
４．良く切れる性能の良さがある。
５．力が全く少なくて使える。
６．街の路面が美しくなる。
【実施例】
【０００３】本案のガム切除器を路面上で実施すると路面上のガムにも厚みがあるので、本器は路面上より０．０３ｍｍの高さのガムを切除するので刃先の傷みが少なく又ローラーで出来ているので力がいらなかった。カッターの刃は平行四辺形でも菱形に出来ているのでその菱形の先で切除したガムを突き差して汚物入れに入れることが簡単に出来るし、又裏表の両面が使用出来るので長期間使えた。あとに残った０．０３ｍｍ以下のガムは洗剤（路面専用の磨き粉入り）で洗えばすぐきれいになった。
【図面の簡単な説明】
【０００４】
【図１】カッターの刃角に合せた３５度の図
【図２】本考案のガム切除器の見取図
【符合の説明】
１．カッターの刃角３５度の基点即ち刃先
２．３５度の２等分線
３．３５度の上限線
４．３５度の下限線
【手続補正３】
【補正対象書類名】図面
【補正対象項目名】全図
【補正方法】変更
【補正の内容】
【図１】
0003117552.tif 000010
【図２】
0003117552.tif 000011
【手続補正４】
【補正対象書類名】手続補正書
【補正対象項目名】手続補正５
【補正方法】削除
【補正の内容】
【手続補正書】
【提出日】平成17年1月31日(2005.1.31)
【手続補正１】
【補正対象書類名】実用新案登録請求の範囲
【補正対象項目名】全文
【補正方法】変更
【補正の内容】
【実用新案登録請求の範囲】
【請求項１】
（１）折捨てカッターの刃の使い方の常識を打破し、折捨てカッターの刃で路面に付着した、ガムを切除するガム切除器。
【手続補正２】
【補正対象書類名】明細書
【補正対象項目名】全文
【補正方法】変更
【補正の内容】
【考案の詳細な説明】
【考案の詳細な説明】
【背景の技術】
【０００１】折捨てカッターの刃大（刃渡り１００ｍｍ、又幅１８ｍｍ、厚さ０．５ｍｍ、刃角３５度、形は平行四辺形（以下カッターの刃と言う）を半分に折って本案のガム切除の刃に使用としたが余りにもカッターの刃が鋭くて、そのままでは路面上での使用は全く不可能と言う課題があった。
【解決しようとする手段】
【０００２】通常刃先とは大雑把に刃物の先の方を指すが、本案の刃先とは、刃の先端から０．０２ｍｍのことを指すもので、刃先から０．０２ｍｍのところがその刃物の持つ角度になっているか又その研磨面は細かく密に研磨されているか、その先端に鋸歯状の刃がきちんと着いているかで、その刃物の切れ味が左右される。刃角２４度の日本かみそりは０．０２ｍｍまでグラインダーで削り残った０．０２ｍｍを仕上げ砥ぎで砥いで鋸歯状は皮砥ぎで調整していたので、本案のカッターの刃先とは刃の先端から０．０２ｍｍを指すもので（以下刃先と言う）路面に付着したガムの厚さを路面上から０．０３ｍｍ以上を切除しようとした手段を使って課題を解決したのが本案のガム切除器である。
そのガム切除器は（図２）如くであって作り方は
１．桧の板の柄（以下柄と言う）縦１６０ｍｍ、横幅５０ｍｍ、厚さ１０ｍｍの正四角柱の板を用意する。
２．次に、直径３０ｍｍ、幅２６ｍｍの円柱形の木製のローラー（以下ローラーと言う）に中心に、直径３ｍｍの軸穴をあけたものと
３．そのローラーの軸棒２．８ｍｍと
４．竹材少々用意する
作り方は（図１）の様に方眼紙にカッターの刃角３５度を２等分した直線引き、この線にカッターの刃の厚みの中心と柄の厚みの中心線とローラーの軸の中心点が一直線となるようにして、上下へ２分の１の１７．５度の線を引き、この中心線を中心に、上下限の線よりはみ出さない様にして作る。柄の先端は上下限の線よりはみ出しているので、鋸かのみで切り除く。そして中心線上から上限の線と下限の線上に各々１５ｍｍの高さの点を中心線に求め、この点に３ｍｍの軸穴をあける。柄の表面にローラーをはめ込むために前記のローラーの中心点より前後に１８ｍｍ、横幅３０ｍｍの穴をあけて、ローラーに軸棒を差し込んでローラーが自由に回転するようにして軸を固定する。次に柄の先端にカッターの刃を差し込むために柄の先端から、中心線上に９ｍｍの鋸目を糸鋸で作る。その鋸目にカッターの刃元を一応８ｍｍ差し込んで固定せずに出来上がったガム切除器はカッターの刃角の３５度は刃角のガム切除器である。これを板ガラスの上に置くと切除器のカッターの刃先は板ガラスの面に隙間なく接触している。そこで本考案は、板ガラスとガム切除器の刃先が、板ガラスに接触しないように（即ち刃先の０．０２ｍｍの部分を保護するため）あと０．０３ｍｍ刃を柄に差し込んで固定する。あとの隙間は竹材を使って確実に埋める。
【考案の効果】
１．簡単に作れる。
２．使い捨てで安価である。
３．裏表の両面が使用出来る。
４．良く切れる性能の良さがある。
５．力が全く少なくて使える。
６．街の路面が美しくなる。
【実施例】
【０００３】本案のガム切除器を路面上で実施すると路面上のガムにも厚みがあるので、本器は路面上より０．０３ｍｍの高さのガムを切除するので刃先の傷みが少なく又ローラーで出来ているので力がいらなかった。カッターの刃は平行四辺形でも菱形に出来ているのでその菱形の先で切除したガムを突き差して汚物入れに入れることが簡単に出来るし、又裏表の両面が使用出来るので長期間使えた。あとに残った０．０３ｍｍ以下のガムは洗剤（路面専用の磨き粉入り）で洗えばすぐきれいになった。
【図面の簡単な説明】
【０００４】
【図１】カッターの刃角に合せた３５度の図
【図２】本考案のガム切除器の見取図
【符合の説明】
１．カッターの刃角３５度の基点即ち刃先
２．３５度の２等分線
３．３５度の上限線
４．３５度の下限線
【手続補正３】
【補正対象書類名】図面
【補正対象項目名】全図
【補正方法】変更
【補正の内容】
【図１】
0003117552.tif 000012
【図２】
0003117552.tif 000013
【手続補正４】
【補正対象書類名】手続補正書
【補正対象項目名】手続補正５
【補正方法】削除
【補正の内容】
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
（１）折捨てカッターの刃を木製のローラーの付いた板の柄の先端に差し込んで固定して使用する構造の路面に付着したガム切除器。
【手続補正２】
【補正対象書類名】明細書
【補正の内容】
0003117552.tif 000014
0003117552.tif 000015
0003117552.tif 000016
0003117552.tif 000017
【手続補正書】
【提出日】平成17年9月27日(2005.9.27)
【手続補正１】
【補正対象書類名】手続補正書
【補正対象項目名】手続補正２
【補正方法】変更
【補正の内容】
【手続補正２】
【補正対象書類名】明細書
【補正対象項目名】０００４
【補正方法】変更
【補正の内容】
【０００４】
【図面の簡単な説明】
【図１】    カッターの刃先３５度とその３５度の２等分線とその上下線
【図２】    側面図
【図３】    底面図
【図４】    前面図
【図５】    平面図
【図６】    後面図
【簡単な符合の説明】
１    カッターの刃先
２    ３５度の２等分線
３    ３５度の上限線
４    ３５度の下限線
５    カッターの刃
６    柄よりはみ出すカッターの刃の削除部
５    カッターの刃
６    柄よりはみ出すカッターの刃の削除部
７    柄の先端面
８    ３５度の上下限線よりはみだした柄先の切除面
９    ローラー
１０  ローラーの軸穴
１１  ローラーの軸棒
１２  溝（みぞ）
１３  柄
１４  糸鋸の目
１５  竹材


【手続補正２】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003117552.tif 000018
【図２】
0003117552.tif 000019
【図３】
0003117552.tif 000020
【図４】
0003117552.tif 000021
【図５】
0003117552.tif 000022
【図６】
0003117552.tif 000023